(57)【特許請求の範囲】
【請求項１】
玄米から石などの異物を除去する石抜機と、石抜機により異物が取り除かれた玄米を精米する精米機とを備えた精米装置本体が設けられ、精米装置本体により自動的に精米作業を行い、屋外に露出した状態で設置可能な屋外型自動精米装置であって、石抜機で選別された異物を外部に排出する異物排出口を精米装置本体の前面部に設け、処理しようとする玄米が入った容器を載せる載せ台を、精米装置本体より前方に突出させて配置するとともに、この載せ台により異物排出口を覆い、この載せ台に、石抜機で選別された異物を収容する異物収容容器を内蔵させたことを特徴とする屋外型自動精米装置。
【請求項２】
載せ台の下部に窪み部分を形成し、この窪み部分に、白米ホッパの白米排出口を開けるためのペダルを配設したことを特徴とする請求項１に記載の屋外型自動精米装置。
【発明の詳細な説明】
【０００１】
【発明の属する技術分野】
本発明は自動精米装置、特に屋外に設置可能である屋外型自動精米装置に関するものである。
【０００２】
【従来の技術】
コインや紙幣などの貨幣を投入することにより自動的に精米作業を行わせる自動精米装置は知られている。このような自動精米装置において、屋外に設置するタイプのものとしては、特開平１０−２７２３７３号公報などに開示されているように、建屋の内部を、仕切壁（隔壁）にて、利用客が自由に行き来できる客室と、管理者や保守点検員などの限定した人しか入ることができない機械室とに仕切り、機械室内に、実際に精米動作を行う精米機や、石などの異物を除去する石抜機が配設されているものが一般に知られている。
【０００３】
しかし、このように屋外に設置するタイプの自動精米装置として、建屋内に機械室と客室とを設けた構成のものは、その設置面積として多大なスペースを要するため、設置スペースとして広い場所を確保しやすい郊外などの箇所には適している一方、人口が密集した地域などではその設置スペースを確保できなくなることが多くなる欠点がある。
【０００４】
この欠点を解消するものとして、特開平１１−５０３７号公報に開示された自動精米装置がある。この自動精米装置は、概略的にその外観が自動販売機形状とされており、内部に、精米機と、投入された玄米を精米機側に搬送する昇降機などが設けられている。そして、利用する際には、投入口を箱型の本体前面より手前側に引き出して開口させ、この引き出した投入口から玄米を投入するように構成している。また、白米が排出される排出口が本体内部に設けられており、この排出口の手前側部分を手前側に引き出して、白米を収容する袋を予め入れ、この袋を収容した箇所を元に戻しておいた状態で精米動作を開始させるようになっている。
【０００５】
この種の自動精米装置によれば、その幅や奥行を最小限に抑えることができるので、少ない設置面積でも設置でき、人口が密集した都市などでも、その設置スペースを確保し易くなる。
【０００６】
【発明が解決しようとする課題】
しかし、前記特開平１１−５０３７号公報に開示された自動精米装置では、内部に石抜き装置が設けられていないため、利用者が投入する玄米中に石等の異物が混入していた場合には、排出される白米中に前記異物が混入したり、異物により精米機の一部が損傷したりするおそれがある。
【０００７】
これに対処すべく、自動精米装置内に石抜機を内蔵することが考えられ、このように石抜機を精米機の上流側に配設すると、排出される白米中に異物が混入したり、異物により精米機の一部が損傷したりすることを防止できる。
【０００８】
しかしながら、玄米を石抜機で処理すると、石等の異物が排出されるため、この異物を収納するための異物収納空間を内部に設けると、その分だけ、自動精米装置の設置面積が大きくならざるを得ない。また、自動精米装置内の奥まった箇所などに異物を排出するように構成すると、異物を回収する際に、多くの手間や時間がかかってしまうおそれもある。さらに、人口が密集した都市などでは、自動精米装置を設置した側方や後方の空間に建物や自動販売機などが密接して配置されることがあり、このような場所に自動精米装置を設置した場合でも、異物を支障なく回収できることが望ましい。
【０００９】
本発明は上記課題を解決するもので、設置面積を最小限に抑えることができながら石抜動作を行え、しかも異物の回収を容易に行うことができ、さらに、自動精米装置を設置した側方や後方の空間に建物や自動販売機などが密接して配置されている場合でも、異物を支障なく回収できる屋外型自動精米装置を提供することを目的とするものである。
【００１０】
【課題を解決するための手段】
上記課題を解決するために本発明の請求項１記載の屋外型自動精米装置は、玄米から石などの異物を除去する石抜機と、石抜機により異物が取り除かれた玄米を精米する精米機とを備えた精米装置本体が設けられ、精米装置本体により自動的に精米作業を行い、屋外に露出した状態で設置可能な屋外型自動精米装置であって、石抜機で選別された異物を外部に排出する異物排出口を精米装置本体の前面部に設けたことを特徴とする。
【００１１】
この構成によれば、異物排出用空間を精米装置本体内に設けなくても済むので、設置面積を最小限に抑えることができ、異物排出口を精米装置本体の前面部に設けたので、精米装置本体の前方箇所から異物を容易に回収することが可能となるとともに、自動精米装置を設置した側方や後方の空間に建物や自動販売機などが密接して配置されている場合でも、異物を支障なく回収できる。
【００１２】
また、請求項１記載の発明は、処理しようとする玄米が入った容器を載せる載せ台を、精米装置本体より前方に突出させて配置するとともに、この載せ台により異物排出口を覆い、この載せ台に、石抜機で選別された異物を収容する異物収容容器を内蔵させたことを特徴とする。
【００１３】
この構成によれば、精米装置本体より前方に突出した箇所に配置されている異物収容容器を引き出すなどして開けることで異物を容易に回収することができる。また、載せ台が異物収容容器を配設する場所としても兼用されることになる。
【００１４】
請求項３記載の発明は、請求項２に記載の屋外型自動精米装置において、載せ台の下部に窪み部分を形成し、この窪み部分に、白米ホッパの白米排出口を開けるためのペダルを配設したことを特徴とする。
【００１５】
この構成によれば、載せ台の配設箇所をペダル配置箇所としても利用することができる。また、白米ホッパの白米排出口を開けるためのペダルは、単に白米ホッパの下方位置などに配置した場合には、容易にペダルを踏めるため、白米回収容器を準備していない状態で誤って踏んでしまうおそれがあるが、上記構成によれば、ペダルを、載せ台の下部の窪み部分に配設したため、白米を回収する際には、載せ台下部の窪み部分に足を意識的に突っ込まなければならず、誤って前記ペダルを踏んでしまうことを防止でき、しかも、屋外型自動精米装置の設置スペースが増加することも防止できる。
【００１６】
【発明の実施の形態】
以下、本発明の実施の形態にかかる屋外型自動精米装置を図面に基づき説明する。
【００１７】
図１〜図７に示すように、この屋外型自動精米装置の精米装置本体１は建屋を有しておらず、客室を含まない構造とされている。そして、精米機３と異物を除去する石抜機２などが設けられている精米装置本体１自体が屋外に露出した状態で設置可能とされている。なお、図１における１００は、精米装置本体１から排出された糠を溜める糠小屋である。
【００１８】
精米装置本体１は略長方体形状とされ、精米装置本体１の向かって右側の前面部中央高さには、精米装置本体１の前面から、奥側ほど狭くなるように略Ｖ字形状に窪む投入用空間部５が設けられている。また、この投入用空間部５の下面箇所に、利用者が玄米を投入するための投入口６が設けられているとともに、この投入口６を開閉する透明な投入口開閉扉７が設けられている。精米装置本体１内部における投入口６の下方には、投入された玄米を受ける張込ホッパ８が配設され、この張込ホッパ８の下方には、玄米から石などの異物を除去する石抜機２が配設されている。石抜機２の奥側には、石などの異物が除去された玄米を集める玄米シュート９が設けられている。
【００１９】
また、精米機本体１の右側の前面部下部には、利用者が持参した玄米としての玄米を入れた袋Ｘを載置する載せ台４が、精米機本体１の前面部１ａから突出するような姿勢で、密着して取り付けられている。載せ台４の内部には、石抜機２で集めた石などの異物が排出される異物収容箱１０が設けられている。
【００２０】
玄米シュート９には、玄米シュート９から送られた玄米を上方に送り出すスクリューコンベアからなる昇降機１１が隣接して配置され、昇降機１１の上端開口部から排出された玄米は、精米装置本体１内の左側上部に配設された玄米タンク１２に排出され、玄米タンク１２からの玄米が、玄米タンク１２の下方に配設された精米機３で精米されて白米とされた後、精米機３の下方に配設された白米ホッパ１３に、精米済みの白米が溜められる。白米ホッパ１３の下方には、利用者が持参するなどした白米収容袋Ｙ（玄米を入れた袋Ｘを兼用してもよい）を置く白米収容部１５が、精米装置本体１の前面部１ａより奥側に窪んで外部に露出する状態で設けられており、この白米収容部１５に白米収容袋Ｙを置いた状態で、載せ台４の下端部近傍箇所に配設した白米排出用ペダル４０を踏むことで、白米ホッパ１３に溜められた白米が白米収容袋Ｙ内に排出されるようになっている。
【００２１】
図２に示すように、精米装置本体１の前面部における向かって右側の上部には、複数の白度選択押ボタン１６、もち米選択ボタン１７、コイン投入口１８などを有する操作制御盤２０が設けられている。
【００２２】
以下、精米装置本体１の各部分について詳細に説明する。
図８、図９に示すように、投入口６は、投入用空間部５の下面をなす投入部下傾斜板２１に開口されて形成され、この投入部下傾斜板２１は手前側が下方となるように傾斜されて配設されている。投入部下傾斜板２１の奥部上面両側部には、横軸の回転支持軸２２が回転自在に支持され、投入口開閉扉７はこの回転支持軸２２を中心として、投入用空間部５において、図８（ａ）において、実線で示す閉姿勢から、仮想線で示す開姿勢まで開閉自在とされている。
【００２３】
また、投入用空間部５の上面をなす投入部上傾斜板２３には、投入口開閉扉７が開けられた際に磁着して投入口開閉扉７を開状態に維持する開状態維持用磁石２４が取り付けられている。投入口開閉扉７の前面には、投入口開閉扉７を利用者が開けるための取手２５が取り付けられ、また、投入口開閉扉７の前面部裏面には、斜め下方に屈曲して延びる係止フック２６が取り付けられ、さらに、投入部下傾斜板２１における投入口６の前端部よりも手前箇所の下面に、その出退ロッド２７ａが係止フック２６に係合して投入口開閉扉７を閉姿勢にロックするロック手段としてのソレノイド２７が取り付けられている（図８（ｂ）参照）。また、投入口開閉扉７が閉じられていることを検知する閉状態検知センサ２８が、投入口６の奥端部に臨むように取り付けられており、前記ソレノイド２７で投入口開閉扉７を閉姿勢にロックする際には、この閉状態検知センサ２８にて投入口開閉扉７が閉じられていることを検知した状態で、ソレノイド２７の出退ロッド２７ａを突出させて係止フック２６に係合させるようになっている。
【００２４】
図４に示すように、張込ホッパ８の下端部近傍箇所には、この張込ホッパ８内に玄米があることを検知する張込状態検知用レベル計２９が張込ホッパ８の裏面側に取り付けられている。また、張込ホッパ８の下端に設けられている排出口８ａの開口面積は手動で昇降可能な調整扉１９にて調節可能とされており、石抜機２の処理能力などに合わせて調節できるようになっている。
【００２５】
図４、図１０に示すように、石抜機２は、手前の石抜口３１ａ側が上方となるように傾斜した状態で揺動され、通気性を有するスクリーン３１と、このスクリーン３１を揺動させる揺動用駆動モータ３２などの駆動機構と、スクリーン３１の下方から空気を吹き上げるための風車３３や風車箱３４などを備えている。そして、一方の石抜口３１ａ側を高くし他方の玄米取出口３１ｂ側を低くしてなる傾斜姿勢で揺動させたスクリーン３１に対して、下方から上方に空気を吹き上げかつ揺動させた状態でスクリーン３１上に玄米を供給することで、閉鎖状態の石抜口３１ａ側に玄米に含まれる石などの異物を溜めながら、奥側の玄米取出口３１ｂ側から溢れ出る玄米を排出するようになっている。また、石抜口３１ａに開閉自在に設けた石排出シャッタ３５を、玄米供給終了時などに開けることで、石抜口３１ａ側に集まった異物を玄米とともに排出する。
【００２６】
ここで、石抜機２は、スクリーン３１の石抜口３１ａが前方になり、スクリーン３１の玄米取出口３１ｂが後方になるように配置されている。そして、石排出シャッタ３５を開けた際に排出された異物は、石抜口３１ａの前方に続くように取り付けられた石排出ガイド３９により導かれながら異物収容箱１０内に送られるようになっている。石排出ガイド３９は、精米機本体１の前面部１ａにおける石抜機２の手前側位置に開口された異物排出口８１（図４参照）を通して、精米機本体１の右側下部前方位置に配置された異物収容箱１０内まで、斜め下方に延設されている。
【００２７】
スクリーン３１における片側には、スクリーン３１上に残った残米を排出するための残米戻し通路３６が仕切板３７にて区画形成されており、前述した石排出動作の後に、仕切板３７の石抜口３１ａに近い位置に開閉自在に設けた残米排出シャッタ３８を開けることで、スクリーン３１上に残った残米が、残米戻し通路３６を介して、残米出口３６ａから排出されるようになっている。
【００２８】
上述したように、精米装置本体１に向かって右寄り箇所の下部前方には、図４に示すように、利用者が持参した玄米を入れた袋ｘを載せる載せ台４が精米装置本体１の前面に密着して配設されている。この載せ台４は、袋ｘを載せる載せ面４ａが奥側ほど下方となる傾斜面で構成されている。また、載せ台４により異物排出口８１、石排出ガイド３９および異物収容箱１０が覆われている。載せ台４の内部に配設されている異物収容箱１０には、石抜機２からの石などの異物が石排出ガイド３９を通して排出される。載せ台４の前面部には、施錠装置４１を解除することにより開けられる異物排出用開閉扉４２が設けられ、この異物排出用開閉扉４２を開けることで、石などの異物が溜められた異物収容箱１０を外部に取り出せるようになっている。
【００２９】
石抜機２におけるスクリーン３１の玄米取出口３１ｂは、玄米シュート９内に突入され、石などの異物が除去された玄米が玄米シュート９から昇降機１１内に導入される。
【００３０】
昇降機１１から玄米が供給される玄米タンク１２には、この下限レベル位置に配設されて、玄米タンク１２への玄米の供給動作が開始したことや玄米が玄米タンク１２からなくなったことなどの供給状態を検出する下限レベルセンサ４３と、上限レベル位置に配設されて玄米タンク１２でのオーバーフロー状態を検知するための上限レベルセンサ４４とが取り付けられている。そして、玄米タンク１２と玄米シュート９とにわたって、玄米タンク１２の上限レベルを超えたオーバーフロー分を玄米シュート９へ戻す戻し通路４５が設けられている。
【００３１】
精米機３は、図１１に示すような構造とされている。縦方向に配置された本体ケーシング５１内に、精米機３の駆動モータ５２（図５、図６参照）により駆動プーリ５３を介して回転される中空の回転軸５４が配設され、回転軸５４の上部に送りロール５５が、また回転軸５４の下部に突条部を有する精米ロール５６がそれぞれ取り付けられ、これらの送りロール５５および精米ロール５６が回転軸５４とともに一体的に回転する。また、５７は送りロール５５および精米ロール５６の外周側に配置されて精米室５８の外殻部分をなす金属製の網で、網５７内の糠は、精米装置本体１内の左寄り側下部に配置された糠用送風機５９（図５、図６参照）により、空気とともに吸引されて糠小屋１００内に排出される。また、本体ケーシング５１の上部には、玄米タンク１２からの玄米を精米室５８内に送り込む供給用スクリュ６０および供給用ケーシング６１を配設している。
【００３２】
本体ケーシング５１の下端部には、精米室５８からの開度を調節することで精米の際の圧力などを調整する開度規制部材６２と、この開度規制部材６２と精米ロール５６との間から排出される白米を下方に案内する排出筒６３とが、それぞれ昇降自在に嵌合されている。そして、精米ロール５６を駆動させる駆動モータ５２の電力量などから精米ロール５６の負荷を検出しながら、開度調整用モータ６４を作動させて、開度調整用アーム６５を介して開度規制部材６２の上下位置を変えることで、利用客が選択した精米白度に合った白度の米が得られるように白度制御が行われる。
【００３３】
精米機３の下方に配設された白米ホッパ１３は、精米装置本体１自体をコンパクトにするために、精米装置本体１よりも前方に突出していない、小型のものが用いられている。また、精米装置本体１における左側上部には、側方へ開閉自在のカバーとしての前面扉５０が設けられ、この前面扉５０の下部により、精米機３と白米ホッパ１３との間の空間が前方より覆われている。この前面扉５０の下部には、精米機３から排出されている白米を見ることができるように、透明性を有する板材が嵌め込まれた確認用窓部６６が設けられている。そして、この確認用窓部６６を通して、精米機３から排出されている白米の白度などの確認を行うことができるようになっている。また、白米の白度を確認しながら、精米途中で、白度選択押ボタン１６を押し直すことで、その時点からの精米白度の変更調整も行えるようになっている。なお、図２における６７は、前面扉５１に設けられ、玄米タンク１２内の玄米の残り状態を確認する視認窓、６８は、前面扉５１に設けられたレバー付き施錠装置で、このレバー付き施錠装置６８にキー（図示せず）を挿し込んで解錠し、前面扉５１を開けることで、精米機３のメンテナンス作業などを容易に行うことができる。
【００３４】
白米ホッパ１３の上部には、白米が白米ホッパ１３の上限レベルまで達したことを検知する白米上限レベルセンサ６９が設けられている。そして、精米動作途中で、白米が白米ホッパ１３の上限レベルまで達して、これが白米上限レベルセンサ６９にて検知された際には、白米が白米ホッパ１３からあふれることを防止すべく、精米機３への玄米の供給動作ならびに精米機３の精米動作が一時的に中断されるようになっている。この後、利用者が白米排出用ペダル４０を踏んで、白米を白米収容袋Ｙに収容して、白米が白米ホッパ１３の上限レベルよりも減少した時点で、精米機３への玄米の供給動作ならびに精米機３の精米動作が再開される。
【００３５】
白米ホッパ１３の排出口を開けるための白米排出用ペダル４０は、精米装置本体１内を通されたワイヤケーブル７１により、白米ホッパ１３の排出口に設けられた排出ゲート７２が連動されて開けられるよう構成されている。また、白米排出用ペダル４０は、図２に示すように、載せ台４の左側下部に設けられた窪み部４ｂに配設されている。そして、この窪み部４ｂに白米排出用ペダル４０を配設することで、意識的に載せ台４の窪み部４ｂに足を突っ込み、白米排出用ペダル４０を踏んで白米ホッパ１３の排出動作を行うことができ、白米収容部１５に白米収容袋Ｙを置く際などに誤って白米排出用ペダル４０を踏まないように図られている。また、白米収容部１５の底面部分はトレイ（図示せず）を置くことが可能とされ、雨水などがたまった際に、取り出して排水可能とされている。
【００３６】
精米装置本体１の筐体部分は、図１２に概略的に示すように、底面部１ｂと、この底面部１ｂに立設された複数本の支持枠１ｃと、この支持枠１ｃの上端に固着された上面枠１ｄと、両側方から支持枠１ｃにそれぞれ取り付けられて溶着された側面部１ｅと、上面枠１ｄに上方から被せられた天井面部１ｆと、背面部１ｇと、前面扉５０を含む前面部１ａとからなる。そして、精米装置本体１を組み立てる際には、精米装置本体１の筐体部分として、前面部１ａと背面部１ｇとを除く部分を溶着などにより固定した状態で、内部の部品（精米機３や石抜機２、張込ホッパ８、玄米タンク１２、白米ホッパ１３、昇降機１１など）を組み付け、その後、前面部１ａと背面部１ｇとを取り付けるようになっている。背面部１ｇについては、その下部を、底面部１ｂに設けた溝１ｈに挿し込んだ後、上端部を、手で回すことができるボルト（いわゆるノブボルト）７３で、内側から固定し、その後、背面外側から複数の固定用ボルト７４をねじ込むことで、背面部１ｇを固定できるようになっている。また、組み付け状態において、昇降機１１は、底面部１ｇに固定されているとともに、天井面部１ｆの近傍まで延設されているが、天井面部１ｆに昇降機１１の上端を固定するようにしてもよく、この場合には、昇降機１１自体を、精米装置本体１の筐体部分を支持する柱として兼用することができ、精米装置本体１の筐体部分としての強度を向上させることができる。
【００３７】
この構成によれば、異物排出用空間を精米装置本体１内に設けていないので、異物排出用空間を精米装置本体１内に設けた場合と比較して、精米装置本体１の容積を小さくすることができ、ひいては設置面積を最小限に抑えることができる。したがって、人口が密集した都会などでも、その設置スペースを確保しやすくなる。また、異物排出口８１を精米装置本体１の前面部１ａに設けたので、精米装置本体１を設置した側方や後方の空間に建物や自動販売機などが密接して配置されている場合でも、異物排出用開閉扉４２をあけて異物収容箱１０を取り出すことで、異物を支障なく、かつ容易に回収できる。
【００３８】
また、載せ台４が異物収容箱１０を配設する場所としても兼用されることになるため、設置スペースを有効に使用することができる。
さらに、載せ台４の下部に窪み部４ｂを形成し、この窪み部４ｂに、白米排出用ペダル４０を配設したので、載せ台４の配設箇所を、白米排出用ペダル４０の配置箇所としても兼用することができる。また、白米排出用ペダル４０を単に白米ホッパ１３の下方位置などに配置した場合には、容易にペダルを踏めるため、白米収容袋Ｙを準備していない状態で誤って踏んでしまうおそれがあるが、上記構成によれば、白米を回収する際には、白米排出用ペダル４０が配設されている載せ台４下部の窪み部４ｂに足を意識的に突っ込まなければならない。したがって、誤って白米排出用ペダル４０を踏んでしまうことを防止でき、しかも、屋外型自動精米装置の設置スペースが増加することも防止できる。
【００３９】
なお、上記の実施の形態においては、異物排出用開閉扉４２に施錠装置４１を取り付けた場合を述べたが、施錠装置４１を設けなくても差し支えない。また、異物排出用開閉扉４２を設けずに、載せ台４からじかに異物収容箱１０が引き出せるように構成してもよい。
【００４０】
また、上記実施の形態においては、精米機３として、縦型のものを用いた場合を述べたが、横型など、その他の種類の精米機にも適用できることもいうまでもない。さらに、上記実施の形態においては、精米機３と白米ホッパ１３との間の空間を外側から覆うカバーとして、精米機３も外側から覆う前面扉５０で兼用した場合を述べ、この場合には、前面扉５０が、カバーと、精米機３のメンテナンス用扉としても兼用されるため、部品点数を削減できる利点があるが、これに限るものではなく、例えば、白米ホッパ１３の前面側を上方に延長してカバーとして構成してもよい。
【００４１】
また、上記実施の形態においては、前面扉５０の下部に、透明性を有する板材が嵌め込まれた確認用窓部６６を設けた場合を述べたが、この確認用窓部６６に、透明性を有する開閉自在の扉体を設けて、この扉体を開けて手を差し入れることで、精米機３から排出される白米を手にとって触ったり見たりすることができるように構成してもよい。
【００４２】
【発明の効果】
以上のように本発明によれば、石抜機で選別された異物を外部に排出する異物排出口を精米装置本体の前面部に設けることにより、設置面積を最小限に抑えることができるとともに、自動精米装置を設置した側方や後方の空間に建物や自動販売機などが密接して配置されている場合でも、異物を支障なく回収できる。この結果、人口が密集した都会などでもその設置スペースを確保しやすくなるとともに、良好に使用できる屋外型自動精米装置を得ることができる。
【００４３】
また、処理しようとする玄米が入った容器を載せる載せ台により異物排出口を覆い、この載せ台に、石抜機で選別された異物を収容する異物収容容器を内蔵させることにより、載せ台が異物収容容器を配設する場所としても兼用されることになり、設置面積を増加させることなく、利便性が向上する。
【００４４】
また、載せ台の下部に形成した窪み部分に、白米ホッパの白米排出口を開けるためのペダルを配設することで、載せ台の配設箇所をペダル配置箇所としても利用することができる。また、白米を回収する際には、載せ台下部の窪み部分に足を意識的に突っ込まなければならないため、誤って前記ペダルを踏んでしまうことを防止できる。
【図面の簡単な説明】
【図１】本発明の実施の形態にかかる屋外型自動精米装置の概略構成を示す側面図である。
【図２】同屋外型自動精米装置における精米装置本体の正面図である。
【図３】同精米装置本体の前面部よりも後方部分を概略的に示す正面図である。
【図４】同精米装置本体の右側面断面図である。
【図５】同精米装置本体の左側面断面図である。
【図６】同精米装置本体の背面部より前方部分を裏面より見た図である。
【図７】同精米装置本体の下部の概略的な平面図である。
【図８】（ａ）は同精米装置本体の投入用空間部箇所の側面断面図、（ｂ）はその要部拡大側面断面図である。
【図９】同精米装置本体の投入口開閉扉およびその近傍の概略的な平面図である。
【図１０】同精米装置本体における石抜機のスクリーンの平面図である。
【図１１】同精米装置本体における精米機の断面図である。
【図１２】同精米装置本体における筐体部分の分解斜視図である。
【符号の説明】
１        精米装置本体
２        石抜機
３        精米機
４        載せ台
６        投入口
７        投入口開閉扉
１０      異物収容箱
１２      玄米タンク
１３      白米ホッパ
１５      白米収容部
２０      操作制御盤（制御部）
４０      白米排出用ペダル
５０      前面扉
６６      確認用窓部
８１      異物排出口
１００    糠小屋
【図１】
0003801479.tif 000002
【図２】
0003801479.tif 000003
【図３】
0003801479.tif 000004
【図４】
0003801479.tif 000005
【図５】
0003801479.tif 000006
【図６】
0003801479.tif 000007
【図７】
0003801479.tif 000008
【図８】
0003801479.tif 000009
【図９】
0003801479.tif 000010
【図１０】
0003801479.tif 000011
【図１１】
0003801479.tif 000012
【図１２】
0003801479.tif 000013